(57)【特許請求の範囲】
【請求項１】
基底部と側壁部によって画成された開口部を有する２つのケースの各々に少なくとも１個以上の物品を保持させ、一方のケースと他方のケースの開口部同士を重ね合わせることによって該物品を箱状で収納するようにした物品収納箱であって、
前記一方のケースに保持される物品の少なくとも１個が、該一方のケースの側壁部の高さ以上の高さで保持され、前記２つのケースの開口部同士を重ね合わせた際に、前記一方のケースに保持される前記１個の物品の少なくとも一部が前記他方のケースに保持される物品の凹部に嵌入されることにより該物品同士の合計高さが前記２つのケースの各側壁部の合計高さ以下に設定されるように配置され、
前記２つのケースは、
前記基底部に敷設され、前記物品の外形状の輪郭に沿った形状より若干小径に形成された保持孔に前記物品の一部分を埋入させて保持する保持手段と、
該保持手段とそれに埋設された物品とで画成される輪郭形状に、該物品が凹部を有する場合は該凹部に沿って形成され、該保持手段及び該物品の全体を覆うように掛けられる透明カバーと、を各々有し、
ケースを立たせた際にケースの中身が見えるように物品がケースに保持されることを特徴とする物品収納箱。
【請求項２】
前記側壁部の高さが、前記一方のケースと前記他方のケースとで同じ高さになるように形成されていることを特徴とする、請求項１に記載の物品収納箱。
【請求項３】
前記側壁部の高さが、前記一方のケースと前記他方のケースとで異なる高さになるように形成されていることを特徴とする、請求項１に記載の物品収納箱。
【請求項４】
前記２つのケースは、ヒンジを介して回動可能に連結され、ヒンジを境に各ケースを回動させることで立たせることができることを特徴とする、請求項１〜３のいずれかに記載の物品収納箱。
【請求項５】
前記保持手段が、前記保持孔を備えた表部と、該表部の周縁から下方へ垂下した側壁と、を備えていることを特徴とする、請求項１〜４のいずれかに記載の物品収納箱。
【請求項６】
前記物品は、ベビー食器セットなどの容器でなることを特徴とする、請求項１〜５のいずれかに記載の物品収納箱。
【請求項７】
前記２つのケースの前記基底部を表部と裏部との二重に構成すると共に、該表部に前記保持孔を形成したことを特徴とする、請求項１〜６のいずれかに記載の物品収納箱。
【発明の詳細な説明】
【０００１】
【発明の属する技術分野】
本発明は物品、たとえば茶碗，スープ皿，ディッシュ，カップ，スプーン，フォーク等を一組にして詰め合わせた食器セットなどの容器を収納する収納箱に関し、特に箱内の容積に対して収納される物品以外の空間領域が占める割合（空間容積率）を低減することを図った物品収納箱に関する。
【０００２】
【従来の技術】
各種の物品、とくにコップ，皿，スプーン，フォークなどの飲食用容器のセット、或いは鍋，ザル，食器入れ，包丁などの調理用容器セットなど、主として一定の体積を有する容器類などを詰め合わせたセット商品は、例えば、店頭では、一つの箱内に収納されて展示され販売されている。通常、このような場合、コップ、皿、スプーンなどの容器を収納する際には箱の中で重ねて収納している。
【０００３】
【発明が解決しようとする課題】
しかしながら、このように、箱の中に各容器を重ねるようにして収納すると、下側の容器は上側の容器に隠されてしまって、個々の容器の全体を外部から把握することができない。全食器を全て見えるようにするには、箱の中に各物品を縦横に並べて収納できるよう箱を大きく形成する必要があるが、箱の容積が大きくなるため、紙資源を多く用いることになり、資源の浪費という問題がある。また、このような箱においては、容器を一個ずつ縦横に並置して収納するため、箱の容積に対して収納される容器以外の空間領域が占める割合、即ち、空間容積率が高くなり大型化してしまって材料費や輸送費等のコストが高くなるという問題がある。
そこで、本発明は、上記課題を解決するために創作されたものであり、箱のサイズを小型にすることにより空間容積率を低減して省資源化を図り、かつ、低コスト化を図ることができる物品収納箱を提供することを目的とする。
【０００４】
【課題を解決するための手段】
本発明は、上記課題を解決するために、基底部と側壁部によって画成された開口部を有する２つのケースの各々に少なくとも１個以上の物品、とくに容器を保持させ、一方のケースと他方のケースの開口部同士を重ね合わせることによって該物品を箱状で収納するようにした物品収納箱であって、
前記一方のケースに保持される物品の少なくとも１個が、該一方のケースの側壁部の高さ以上の高さで保持され、前記２つのケースの開口部同士を重ね合わせた際に、前記一方のケースに保持される前記１個の物品の少なくとも一部が前記他方のケースに保持される物品の凹部に嵌入されることにより該物品同士の合計高さが前記２つのケースの各側壁部の合計高さ以下に設定されるように配置され、２つのケースは、基底部に敷設され、物品の外形状の輪郭に沿った形状より若干小径に形成された保持孔に物品の一部分を埋入させて保持する保持手段と、保持手段とそれに埋設された物品とで画成される輪郭形状に、物品が凹部を有する場合は凹部に沿って形成され、保持手段及び物品の全体を覆うように掛けられる透明カバーと、を各々有し、ケースを立たせた際にケースの中身が見えるように物品がケースに保持されることを特徴とする物品収納箱を提供するものである。
【０００５】
また、本発明は、上記課題を解決するために、基底部と側壁部によって画成された開口部を有する２つのケースの各々に少なくとも１個以上の物品、とくに容器を保持させ、一方のケースと他方のケースの開口部同士を重ね合わせることによって該物品を箱状で収納するようにした物品収納箱であって、一方のケースに保持される物品の少なくとも１個が、この一方のケースの側壁部の高さ以上の高さで保持され、２つのケースを重ね合わせた際に、一方のケースに保持される１個の物品の少なくとも一部が他方のケースに保持される物品の凹部に嵌入されることにより該物品同士の合計高さが２つのケースの各側壁部の合計高さ以下に設定されるように配置することを特徴とする物品収納箱を提供するものである。
【０００６】
以上の構成において、側壁部の高さは、一方のケースと他方のケースとで同じ高さになるように形成されていても良く、一方のケースと他方のケースとで異なる高さになるように形成されていても良い。前記２つのケースは、ヒンジを介して回動可能に連結されていることが好ましい。
なお、本発明において、物品とは、一定の容積を備え、少なくともその一つが一方のケースの側壁部以上の高さを有し、また、少なくとも他の一つが、好ましくは、貫通孔又は有底孔をもった凹部を有するものの組み合わせを指し、典型的には「容器」類がこれに含まれるので、以下の説明では、食器セットを例にとって容器と称することする。
【０００７】
【発明の実施の形態】
以下、図面を参照して本発明の実施の形態を説明する。
図１及び図２はそれぞれ本発明の実施形態に係る物品収納箱（以下、単に収納箱と称する。）１を示す斜視図である。図１に示すように、収納箱１は、物品、とくに容器を収納するケース１０ａ（左ケース）とケース１０ｂ（右ケース）とを備えて構成される。これらのケース１０ａ，１０ｂは互いに連結されて重ね合わさるようになっている。
【０００８】
図１は各ケース１０ａ，１０ｂ内に収納保持した容器類が見えるように、各ケースを左右に拡開した状態を示し、図２は各ケース１０ａ，１０ｂをその開口部同士を重ね合わせた状態を示している。
この収納箱１は、図１に示すように収納した商品を外部から全て見せることができるようになっており、各ケースを左右に所定角度で拡開して、例えば展示台の上に起立させることができるようになっている。
【０００９】
図３は本発明の実施形態に係る収納箱１の分解斜視図であり、この図３に示すように、収納箱１は各ケース１０ａ，１０ｂごとに、台紙２０ａ，２０ｂ，容器３０1 〜３０9 ，カバー４０ａ，４０ｂ（図６参照）を備えて構成される。
【００１０】
図３に示すように、各ケース１０ａ，１０ｂは、本実施の形態では同一形状に形成されており、正方形状の基底部１１とその周縁から起立して立設された側壁部１２とを備え、これら基底部１１と周囲に立設した側壁部１２により画成された開口部を有している。基底部１１の周縁、即ち各辺から立設した各側壁部１２同士は連結されている。また図１や図３に示すように、ケース１０ａとケース１０ｂとは、側壁部１２の上端縁を連結して構成されている。なお、基底部１１は正方形のほか、長方形や円形など、任意の形状に形成されてよく、また、相似形状或いは蓋と箱本体との組み合わせであってもよい。
【００１１】
収納箱を紙製で作る場合は、例えば側壁部１２を、図４に示すように、外壁１２ａと、その上端から箱水平方向に延設された当接部１２ｂと、その端縁から外壁１２ａに平行に基底部１１表面まで延設された内壁１２ｃとで構成する。なお、図４では、一方のケース１０ａに他方のケース１０ｂを重ね合わせた状態を二点鎖線で示す。この図４に示すように各ケース１０ａ，１０ｂは、基底部１１から内壁１２ｃの上端までの高さがＨ１，Ｈ２（＝Ｈ１）に設定されている。
【００１２】
ケース１０ａとケース１０ｂとは、それぞれ一つの側壁部１２の上端、例えば外壁１２ａの上端が連結されている。
ここで、ケース１０ａとケース１０ｂとは一枚の紙を型抜きして一体に形成されていてよく、この場合、各ケース１０ａ，１０ｂ同士が連結する境界がインテグラルヒンジ１３として一体的に形成され得る。また、これに代えて、別部材としてのヒンジ部材を用いて連結してもよく、或いは両ケースを連結すること無く独立して形成してもよい。
収納箱１は、インテグラルヒンジやヒンジ部材を境に、図１の矢印が示す方向に各ケース１０ａ，１０ｂを開閉できるようになっている。以下、インテグラルヒンジやヒンジ部材を総称してヒンジと称する。
【００１３】
次に、収納箱１に収納される物品、すなわち容器について説明する。ここで、図１に示すように収納箱１にはランチ皿３０1 ，小皿３０2 ，３０7 ，コップ３０3 ，容器３０4 ，離乳皿３０5 ，スプーンやフォーク３０6 ，飯碗３０8 ，ストローマグ３０9 が収納されている。本例では、乳幼児向けの食器セットが図示されている。
ここで、本発明の実施形態に係る収納箱１の機能を説明する上で、ケース１０ａとケース１０ｂとに収納される容器はそれぞれ異なるものであることを前提として説明する。
【００１４】
一方のケース１０ａに保持される容器には、他方のケース１０ｂに保持される容器が部分的に入り込むことができる凹部が形成されている。ここで一方のケース１０ａに保持される容器３０ａが凹部を有する皿であり、他方のケース１０ｂに保持される容器３０ｂがコップである場合を例示する。
図５（Ａ）に示すように、皿３０ａを一方のケース１０ａに収納した際の皿３０ａの基底部１１からの高さがＨ３であるとすると、図６に示すように皿３０ａの高さＨ３は、ケース１０ａ，１０ｂの内壁１２ｂの合計高さＨ１＋Ｈ２（図４参照）よりも低く設定される。
また、図５（Ｂ）に示すように、コップ３０ｂを他方のケース１０ｂに収納した際のコップ３０ｂの高さをＨ４とすると、図６に示すようにコップ３０ｂの高さＨ４はケース１０ａ，１０ｂの内壁の高さＨ１，Ｈ２よりも高く設定されている。なお、図５（Ｂ）においては、コップを横にしてケース１０ｂに収納した状態を示すが、コップを立てて収納するようにしてもよい。
【００１５】
そして、図５（Ｃ）に示すように、コップ３０ｂが皿３０ａの凹部に差し込まれた状態における皿３０ａ及びコップ３０ｂとを重ね合わせた高さをＨ５とすると、図７に示すようにこの高さＨ５はケース１０ａとケース１０ｂとが重ね合わさったときの収納箱１内の二つの内壁１２ｃの合計高さＨ１＋Ｈ２と同じかこれよりも低く設定される。
また、図５（Ｄ）に示すように、ケース１０ａとケース１０ｂとが重ね合わさったときの収納箱１内の二つの内壁１２ｃの合計高さＨ１＋Ｈ２は、皿３０ａとコップ３０ｂとを嵌合させずに単純に積み上げた高さＨ３＋Ｈ４、よりも低く設定されている。
【００１６】
本実施形態においては、上記のように一方の容器を皿３０ａとし、他方の容器をコップ３０ｂとした場合を例示したが、その他の容器、例えば、調理用鍋と醤油差しなどであってもよい。なお、左ケース１０ａと右ケース１０ｂとに収納される容器を入れ替えて収納するように構成してもよい。
【００１７】
収納箱１内に収納する容器を保持するために、本実施の形態では台紙２０ａ，２０ｂが、ケース１０ａ，１０ｂの内壁に嵌合するように、基底部１１に敷設されている。台紙２０ａ，２０ｂは、ケース１０ａ，１０ｂの基底部１１と同形状の表部２１を備えて構成されており、その表部２１には容器が保持される保持孔２２が穿設されている。この保持孔２２は、容器の一部を埋入してこれをしっかりと保持し得るように、容器の外形状の輪郭に沿った形状に、かつ、この形状より若干小径に穿設される。
【００１８】
さらに、台紙２０ａ，２０ｂは、表部２１の周縁から下方へ垂下した側壁２３を備えて構成される。台紙２０ａ，２０ｂの側壁２３は、ケース１０ａ，１０ｂの側壁１２の高さＨ１，Ｈ２よりも低く形成され、好ましくは側壁１２の高さＨ１，Ｈ２の１／３〜１／２程度に形成される。
【００１９】
ケース１０ａとケース１０ｂとにそれぞれ敷設される台紙２０ａ，２０ｂは、収納する容器がそれぞれ異なるので、穿設される保持孔２２の形状が異なる。台紙２０ａに穿設される保持孔２２は、皿を保持する場合を例示すると、その凹部を外方へ向けて保持するように保持孔２２が穿設される。また、ケース１０ｂに敷設される台紙２０ｂには、コップを保持するための保持孔２２が穿設されている。
【００２０】
台紙２０ａ，２０ｂは、図６，図７に示すように、対向する一対の側壁２３，２３を連結する裏部２４を備えて構成されてもよい。また、台紙２０ａ，２０ｂが裏部２４を備えている場合、上記したケース側壁の高さＨ１，Ｈ２は表部２１と対向する裏部の上面から内壁１２ｃの上端までの寸法とする。
【００２１】
なお、本発明の実施形態に係る収納箱１は、台紙２０ａ，２０ｂの代わりに他の保持手段で構成されてもよい。例えば図８に示すように、各ケース１０ａ，１０ｂの基底部１１を表部１１ａと裏部１１ｂとの二重に構成し、その表部１１ａに容器を保持する保持孔１１ｃを穿設して形成されていてもよく、またテープその他の接着手段を基底部１１に取り付けて、容器を保持するようにしてもよい。なお、図８には、容器が保持孔１１ｃに埋設されている状態を二点鎖線で示している。
【００２２】
ここで、台紙２０ａ，２０ｂは、ケース１０ａとケース１０ｂとが重ね合わさったときに、ケース１０ｂに保持された容器３０ｂの一部分がケース１０ａに保持された容器３０ａの凹部に入り込むようなそれぞれの対応位置に敷設される。例えば、図１において、一方のケース１０ａにはランチ３０1 がやや右上側に保持され、これに対応して、他方のケース１０ｂのやや左上側にはストローマグカップ３０9 が配置されて、重ね合わせたときにランチ３０1 の凹部内にストローマグカップ３０9 が嵌入するような配置関係で保持されるように、台紙２０ａ，２０ｂには保持孔２２が穿設される。
【００２３】
さらに、本実施の形態では、図６や図７に示すように、容器３０ａ，３０ｂの上から、例えばポリスチレンで形成された透明のカバー４０ａ，４０ｂにて包囲されている。容器が凹部を有する場合はその凹部に沿ってカバーが掛けられる。カバー４０ａ，４０ｂは、台紙２０ａ，２０ｂに埋設された容器３０ａ，３０ｂが外れないように押さえるとともに、容器３０ａ，３０ｂと台紙２０ａ，２０ｂの全体を覆って、汚れや埃などが付着しないように保護している。そのために、カバー４０ａ，４０ｂは、台紙２０ａ，２０ｂとそれに埋設された容器とで画成される輪郭形状に形成するのが好ましい。また、カバー４０ａ，４０ｂは、台紙２０ａ，２０ｂに取り付けた際に、台紙２０ａ，２０ｂと容器３０ａ，３０ｂとに密着するように形成するのが好ましい。
【００２４】
上記の如く構成された本発明の実施形態に係る収納箱１によれば、図１に示すように、ヒンジ１３を中心に各ケース１０ａ，１０ｂをその中身が見えるように開くことができ、また、良く見えるように展示台などの上に立たせて載置することができる。
また、図２に示すように、各ケース１０ａ，１０ｂを重ね合わせたとき収納箱１内では、図７に示すように、ケース１０ｂに収納された容器Ｂの一部分が、ケース１０ａに収納された容器Ａの凹部に入り込んでいる。
【００２５】
このように構成された収納箱１によれば、ヒンジ１３を境に各ケース１０ａ，１０ｂを回動させることで、テーブルの上に立たせることができるとともに、各ケース１０ａ，１０ｂには各容器がそれぞれ並列に保持されているので、収納箱１に収納した各容器を全て外部から見せることができる。
【００２６】
また、本発明の実施形態に係る収納箱１によれば、各ケース１０ａ，１０ｂを重ね合わせた際に、ケース１０ｂに保持された容器３０ｂが容器３０ａを保持したケース１０ａ内に入り込み、容器３０ｂの一部分を容器３０ａの凹部に入り込ませて重ね合わせて収納することができるので、収納箱１の空間容積率を従来の箱に比べて低くすることができる。従って、ケース１を紙を用いて構成する場合は、使用する紙の量を低減することができる。
【００２７】
さらに、本発明の実施形態の収納箱１においては、空間容積率を低減できることにより、収納箱１全体の体積を小さく、即ち収納箱１をコンパクトに構成することができる。
【００２８】
上記した収納箱１は、図１に示すように、各ケース１０ａ，１０ｂ同士が当接する側壁部１２の当接部１２ｂに、係合手段として例えば面ファスナー６０をそれぞれ備えて構成すれば、図２に示すようにケース１０ａとケース１０ｂとを重ね合わせた際に、重ね合わせた状態を維持できる。
【００２９】
上記説明においては、主にケース１０ａに凹部をもった容器３０ａ、例えば皿が保持され、ケース１０ｂに凸状の容器３０ｂ、例えばコップが保持される場合を説明したが、図７に示すように、収納箱１内に、それらの容器３０ａ，３０ｂとともに内壁１２ｃの高さＨ１，Ｈ２よりも低い高さの他の容器３０ｃ，３０ｄが保持されて、収納されてもよい。
【００３０】
また、上記説明においては、ケース１０ｂに収納される容器３０ｂが、ケース１０ａに収納される容器３０ａの凹部に部分的に入り込んで、収納される場合を説明したが、二つの容器のそれぞれが有する高さを足し合わせた長さがケース１０ａとケース１０ｂとを重ね合わせた際の対峙する基底部同士の間隔Ｈ１＋Ｈ２（各ケース１０ａ，１０ｂの内壁１２ｃの合計高さの寸法）よりも短ければ、容器３０ａ，３０ｂとともに収納箱１内に収納することができる。
【００３１】
上記説明においては、ケース１０ａ，１０ｂの内壁１２ｃの高さＨ１，Ｈ２が同じ寸法である場合を例示したが、ケース１０ａの内壁１２ｃの高さＨ１とケース１０ｂの内壁１２ｃの高さＨ２とを異なる寸法で形成されてもよい。
【００３２】
ここで、図９及び図１０はそれぞれ本発明の他の実施形態に係る収納箱１Ａを示す断面図であり、図９は各ケース１０ａ，１０ｂが開いた状態を示し、図１０はケース１０ａとケース１０ｂとを重ね合わせた状態を示している。図９及び図１０に示すように、ケース１０ｂの内壁１２ｃの高さＨ２は、ケース１０ａの内壁１２ｃの高さＨ１よりも高く（Ｈ１＜Ｈ２）設定されている。また、図９及び図１０に示す収納箱１Ａは、上記した収納箱１と同様に、台紙２０ａ，２０ｂ，容器３０ａ，３０ｂ，カバー４０ａ，４０ｂを備えて構成される。
【００３３】
また、上記の収納箱１，１Ａは、対峙する基底部１１同士の間隔、即ち二つの側壁部１２ｃの高さを合算した高さＨ１＋Ｈ２がＨ５（図５（Ｃ）参照）よりも高い場合を例示したが、その高さＨ１＋Ｈ２が高さＨ５と同じであってもよい。さらに、高さＨ１＋Ｈ２が高さＨ３＋Ｈ４（図５（Ｄ）参照）よりも低い場合を例示したが、高さＨ１＋Ｈ２は高さＨ３＋Ｈ４と同じであってもよい。
したがって、本発明の実施形態に係る収納箱１，１Ａに関しては、
Ｈ５≦（Ｈ１＋Ｈ２）＜（Ｈ３＋Ｈ４）
の関係式が成立する。
【００３４】
本実施の形態では、各ケース１０ａ，１０ｂを重ね合わせた際、それらの側壁部１２の当接部１２ｂ同士が当接するように構成された場合を示したが、例えば図１１（Ａ）及び（Ｂ）に示すように、一方が他方の側壁を覆って嵌合するように構成されてもよい。なお、このように構成した場合においても、二つのケース１０ａ，１０ｂの基底部１１同士の間隔Ｈ１＋Ｈ２は、上記の関係式Ｈ５≦（Ｈ１＋Ｈ２）＜（Ｈ３＋Ｈ４）が成立するように構成される。また、図１１（Ａ）及び（Ｂ）に示すように、ケース１０ａは、ケース１０ｂを覆う蓋としても用いられる。
【００３５】
上記の説明では、各ケース１０ａ，１０ｂとが連結されて構成される場合を説明したが、連結されることなく独立に構成されてもよい。
【００３６】
また、本実施形態の説明においては、収納箱内に保持される容器を皿やコップなどの食器である場合を例示したが、その他の物品であってもよい。
【００３７】
上記説明においては、ケース１０ａ，１０ｂや台紙２０ａ，２０ｂは紙で構成される場合を説明したが、紙以外のプラスチック類や木製，金属製など、いずれの材料で構成されてもよい。
【００３８】
【発明の効果】
本発明の容器収納箱によれば、各ケースを重ね合わせた際に、一方のケースに保持された容器が他の容器を保持した他のケース内に入り込み、一方の容器の部分が他の容器の凹部に入り込んで重ね合わせて収納することができるので、重ね合わせたときの、箱の空間容積率を従来の箱に比べて低くすることができる。このため、省資源化を図り、かつ、低コスト化を図ることができる。
【図面の簡単な説明】
【図１】本発明の実施形態に係る容器収納箱を開いた状態を示す斜視図である。
【図２】本発明の実施形態に係る容器収納箱の閉合状態を示す斜視図である。
【図３】本発明の実施形態に係る容器収納箱の分解斜視図である。
【図４】図１のＡ−Ａ端面図である。
【図５】（Ａ）〜（Ｄ）は、それぞれ容器収納箱に保持される容器同士を重ね合わせる場合の高さの変化を示す図である。
【図６】本発明の実施形態に係る容器収納箱を開いた状態の概略側断面図である。
【図７】本発明の実施形態に係る容器収納箱を閉じた状態の概略側断面図である。
【図８】本発明の実施形態に係るケースの基底部の他の構成例を示す端面図である。
【図９】本発明の他の実施形態に係る容器収納箱を開いた状態の断面図である。
【図１０】本発明の他の実施形態に係る容器収納箱を閉じた状態の断面図である。
【図１１】（Ａ）及び（Ｂ）は、本発明のさらに他の実施形態に係る容器収納箱を示す部分断面図である。
【符号の説明】
１，１Ａ        物品収納箱
２，３          ケース
１０ａ，１０ｂ  ケース
１１      基底部
１２      側壁部
１２ａ    外壁
１２ｂ    当接部
１２ｃ    内壁
１３      ヒンジ
２０ａ，２０ｂ    台紙
２１      表部
２２      保持孔
２３      台紙の側壁
３０ａ    凹部を有する容器
３０ｂ    容器
４０ａ，４０ｂ    カバー
６０      面ファスナー
【図１】
0003956006.tif 000002
【図２】
0003956006.tif 000003
【図３】
0003956006.tif 000004
【図４】
0003956006.tif 000005
【図５】
0003956006.tif 000006
【図６】
0003956006.tif 000007
【図７】
0003956006.tif 000008
【図８】
0003956006.tif 000009
【図９】
0003956006.tif 000010
【図１０】
0003956006.tif 000011
【図１１】
0003956006.tif 000012